Podtech/llm-jp-corpus-v4-ja_patent huggingface dataset:
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
電気ランプ／反射鏡ユニットであって、
光軸を有する反射鏡部分と、外面と、前記外面と一体的な、光軸のまわりの中空の首形部分とを有するモールド成形された反射鏡本体と、
前記首形部分と、光軸を横切る光放射窓との間に配置されている凹状反射内面と、
電気ランプであって、気密に閉鎖された光伝達ランプ容器を有し、該光伝達ランプ容器は電気要素が内部に配置されたキャビティを有し、前記光伝達ランプ容器は、互いに反対向きの第１及び第２の端部分を有し、該第１及び第２の端部は、電気要素に接続された第１及び第２の電流導体が前記ランプ容器から外部に貫通するシールを備え、前記第２の電流導体は、反射鏡部分のダクトを通して外側表面に案内され、前記電気ランプは、第１の端部分が首形部分に、キャビティが反射鏡部分内に、電気要素とが光軸上にある状態で反射鏡本体に固定されるランプとを備えた電気ランプ／反射鏡ユニットにおいて、
前記反射鏡部分の前記ダクトは、前記外面から反射鏡内面へ、反射鏡の外面を本質的に横切って延びる穿設ダクトであり、
前記ダクトが、前記反射鏡内面で、またはこれに隣接してリムを備え丸められた縁部を備えている、
ことを特徴とする電気ランプ／反射鏡ユニット。
【請求項２】
前記穿設ダクトは、反射鏡部分の反射鏡内面に、又はこれに隣接して最も小さい横断面を有している、
請求項１に記載の電気ランプ／反射鏡ユニット。
【請求項３】
前記穿設ダクトは、反射鏡内面で、ほぼ円形の横断面である、
請求項１又は２に記載の電気ランプ／反射鏡ユニット。
【請求項４】
前記反射鏡部分に、第２の穿設ダクトが設けられている
請求項１又は２に記載の電気ランプ／反射鏡ユニット。
【請求項５】
電気ランプ／反射鏡ユニットは、始動補助装置を備えている、
請求項１、２又は３に記載の電気ランプ／反射鏡ユニット。
【請求項６】
前記始動補助装置は、前記反射鏡部分の第２のダクトを通り抜けている接続導体に接続されている、
請求項４又は５に記載の電気ランプ／反射鏡ユニット。
【請求項７】
前記反射鏡本体は、石英ガラス又はガラスセラミック材料から製造されている、
請求項１、２又は３に記載の電気ランプ／反射鏡ユニット。
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
１つまたはそれ以上のガス放電ランプを駆動する方法であって、
入力直流高電圧から実質的に矩形状の高電圧を生成するステップと、
上記矩形電圧から、基準電圧に対して交番する交流電圧を生成するステップと、
上記交流電圧を上記ランプの第１の電極に供給するステップと、
上記各ランプの第２の電極を上記基準電圧に選択的に接続するステップと、を含む方法であって、
上記交流電圧をフィルタリングしてフィルタされた電圧を発生するステップと、
上記フィルタされた電圧の特性を測定して制御信号を作るステップと、
上記矩形波電圧の発生中に上記制御信号に基づいて上記矩形波電圧の周波数を制御するステップと、を含み、
上記フィルタリングは、導通している時のランプと上記ランプの第２の電極を上記基準電圧に接続するインピーダンスとの直列接続が呈するインピーダンス及び応答特性と実質的に同一であるインピーダンス及び応答特性を有している、
ことを特徴とする方法。
【請求項２】
上記フィルタリングのインピーダンス及び応答特性は、導通している時の上記ランプの抵抗及び上記抵抗と直列接続された容量のインピーダンス及び応答特性であることを特徴とする請求項１に記載の方法。
【請求項３】
上記フィルタリングのインピーダンス及び応答特性の抵抗値と容量値との積は、導通している時の上記ランプの抵抗値と上記容量の容量値との積から＋１０％乃至−１０％だけ異なることができることを特徴とする請求項２に記載の方法。
【請求項４】
１つまたはそれ以上のガス放電ランプを駆動するためのガス放電ランプドライバ回路であって、
インバータ、共振回路、ランプ毎のランプスイッチ、及びランプスイッチコントローラを含み、
上記インバータは直流高電圧ラインに接続され、上記共振回路は上記インバータの出力と、上記直流ラインの一方とに接続され、上記共振回路の出力は各ランプの第１の電極に接続され、各ランプの第２の電極は対応するランプスイッチを介して上記直流ラインの一方に接続され、上記ランプスイッチコントローラは各ランプスイッチに接続され且つ各ランプスイッチを個々に導通または遮断させるように制御するのに適しており、
インピーダンスが各ランプと直列に接続され、
フィルタが各第１の電極に接続され、上記交流電圧を受けてそれをフィルタし、フィルタされた電圧を発生し、
電圧検出回路が上記フィルタされた電圧を受け、上記フィルタされた電圧の特性を測定して制御信号を作るように設けられ、
周波数コントローラが上記制御信号を受け、インバータ駆動信号を発生するように設けられ、
上記インバータ駆動信号は上記インバータに供給され、上記インバータは上記制御信号に依存する周波数を有する矩形波電圧を発生し、
上記フィルタは、導通している時の上記ランプ及び上記インピーダンスの直列接続が呈するインピーダンス及び応答特性と実質的に同一のインピーダンス及び応答特性を有している、
ことを特徴とするガス放電ランプドライバ回路。
【請求項５】
上記フィルタのインピーダンス及び応答特性は、導通している時の上記ランプの抵抗及び上記抵抗と直列接続された容量のインピーダンス及び応答特性であることを特徴とする請求項４に記載の回路。
【請求項６】
上記フィルタのインピーダンス及び応答特性の抵抗値と容量値との積は、導通している時の上記ランプの抵抗値と上記容量の容量値との積から＋１０％乃至−１０％だけ異なることができることを特徴とする請求項５に記載の回路。
【請求項７】
ランプスイッチはＭＯＳＦＥＴであって、上記ＭＯＳＦＥＴランプスイッチのために、上記スイッチのドレイン・ソース電圧を制限する過電圧保護手段が設けられていることを特徴とする請求項４乃至６のいずれか１項に記載の回路。
【請求項８】
上記過電圧保護手段は、ドレイン・ソース電流を高電圧ラインへ転流させるように接続されているダイオードを含むことを特徴とする請求項７に記載の回路。
【請求項９】
上記過電圧保護手段は、上記ダイオードと並列に接続されている抵抗を含むことを特徴とする請求項８に記載の回路。
【請求項１０】
上記過電圧保護手段はツェナーダイオードを含み、上記ツェナーダイオードはドレイン電圧を増加させるように接続されており、このドレイン電圧より上では上記ダイオード及びツェナーダイオードが高電圧ラインへ導通するようになっていることを特徴とする請求項８または９に記載の回路。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
運動器具において：
第１のループと第２のループとを具える第１の端部を有する非弾性部と；
前記第１のループと前記第２のループとに取り付けられるハンドグリップとを具え、前記運動器具は、前記ハンドグリップ、前記ループ、またはそれらのいくつかの組合せによって前記運動器具のユーザの重量を支持するよう適合され、前記第２のループは、前記ハンドグリップを通過する連続的なループであることを特徴とする運動器具。
【請求項２】
請求項１に記載の器具において、前記非弾性部が、第３のループと第４のループとを具える第２の端部を有し、前記ハンドグリップは第１のハンドグリップであり、前記器具がさらに：
前記第３のループと前記第４のループとに取り付けられる第２のハンドグリップであって、取り付けられた前記第４のループは、前記ハンドグリップを通過する連続的なループであることを特徴とする器具。
【請求項３】
請求項１又は２のいずれかに記載の器具において、前記第１のハンドグリップまたは第２のハンドグリップの少なくとも一方が、剛性部分を具えることを特徴とする器具。
【請求項４】
請求項３に記載の器具において、前記剛性部分は、少なくとも握りこぶしと同じくらいの長さを有することを特徴とする器具。
【請求項５】
請求項３に記載の器具において、前記剛性部分と、前記第２のループまたは前記第４のループの少なくとも一方とが、足をかけられる大きさであることを特徴とする器具。
【請求項６】
請求項１に記載の器具において、前記ハンドグリップが、前記第１のループに一体的に取り付けられていることを特徴とする器具。
【請求項７】
請求項１に記載の器具において、前記第２のループが、前記第１のループに一体的に取り付けられていることを特徴とする器具。
【請求項８】
請求項１に記載の器具において、前記第２のループが、前記ハンドグリップに一体的に取り付けられていることを特徴とする器具。
【請求項９】
請求項１に記載の器具において、前記第２のループが、前記第１のループに取り外し可能に取り付けられていることを特徴とする器具。
【請求項１０】
請求項１に記載の器具において、前記第２のループが、前記ハンドグリップに取り外し可能に取り付けられていることを特徴とする器具。
【請求項１１】
請求項１に記載の器具において、前記第２のループの長さが調節可能であることを特徴とする器具。
【手続補正２】
【補正対象書類名】明細書
【補正対象項目名】００７８
【補正方法】変更
【補正の内容】
【００７８】
グリップ取付部２１２０を形成する２つのストラップ１８０３は、裏ストラップ２２０５と前ストラップ２２０７の端部の間でそれぞれこれらの中央部に取り付けられる。４本の紐２１１０ａ乃至ｄは、長い紐２２０１及び２２０３から形成される。具体的には、図２２Ｂに示されるように、紐２１０１及び２１０３は、並んで、半分に折り畳まれている。各紐は、端止め２１０９で互いに結ばれている両方の紐によって、紐２１０１及び２１０３の中間部近くでループ２２１３を形成し、そして端止め２１０９によって結ばれる紐２２０１及び２２０３の４つの端部によって、ループ２１１３を形成する。断面図、図２２Ｄでは、紐２２０３は、端止め２２０９で互いに結ばれている第１の端部２２１３と、第２の端部２２１７と、ストラップ２２０７周りにループ２２１３を形成している中央部２２１５とを具えて示されている。各紐２１０１及び２１０３は、半分で折り畳まれており、このようにして、各紐は、端止め２２０９と２１１１の間で２本の紐を形成している。具体的には、紐２１０１は、紐２２１０ａと２２１０ｂを形成し、紐２１０３は、紐２２１０ｃと２２１０ｄとを形成する。
【手続補正３】
【補正対象書類名】図面
【補正対象項目名】図２２Ｄ
【補正方法】変更
【補正の内容】
【図２２Ｄ】
2009514615.tif 000001
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
フィルタ装置であって、
入口と少なくとも１つの出口とを有するハウジングと、
前記ハウジング内の、前記入口の下流かつ前記出口の上流に配置され、前記入口を通じて前記ハウジングに入る加圧気体を濾過して前記出口に濾過済み加圧気体を提供するフィルタ機構とを備え、
フィルタ機構が第１と第２の筒状フィルタエレメントを備え、第１のフィルタエレメントが第２のフィルタエレメント内に配置されるフィルタ装置。
【請求項２】
加圧気体を使用するスプレーシステムであって、前記システムが、
請求項１に記載のフィルタ装置と、
前記フィルタ装置の入口に接続された加圧気体の供給源と、
少なくとも１つのスプレー材料貯蔵槽と、
前記スプレー材料貯蔵槽と、前記フィルタ装置の少なくとも１つの出口とに接続された少なくとも１つのスプレーガンとを備えるスプレーシステム。
【手続補正書】
【提出日】平成21年10月30日(2009.10.30)
【手続補正１】
【補正対象書類名】明細書
【補正対象項目名】００５８
【補正方法】変更
【補正の内容】
【００５８】
【図１】本発明の実施形態の断面図である。
【図２Ａ】作製中の中間ステップにおける図１の実施形態の断面図である。
【図２Ｂ】作製の後の方のステップにおける図１の実施形態の断面図である。
【図３】堆積状態の電極を備えた本発明の変形実施形態の断面図である。
【図４】マスク蒸着方法を示す本発明の変形実施形態の断面図である。
【図５】マスクパターン形成法を示す本発明の変形実施形態の断面図である。
【図６】物質蒸着法を示す本発明の変形実施形態の断面図である。
【図７】マスクポリマー除去法を示す本発明の変形実施形態の断面図である。
【手続補正２】
【補正対象書類名】図面
【補正対象項目名】図８
【補正方法】削除
【補正の内容】
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
再狭窄を低めることにより再狭窄を治療するための医薬の製造のための、ステントと一緒での、ムロモナブ−CD3（muromonab-CD3）、アレムツズマブ（alemtuzumab）又は抗−胸腺細胞グロブリンの使用。
【請求項２】
ムロモナブ−CD3（muromonab-CD3）、アレムツズマブ（alemtuzumab）又は抗−胸腺細胞グロブリンが前記ステントの部分である、請求項１に記載の使用。
【請求項３】
ムロモナブ−CD3（muromonab-CD3）、アレムツズマブ（alemtuzumab）又は抗−胸腺細胞グロブリンが前記ステントから放出される、請求項１に記載の使用。
【請求項４】
ムロモナブ−CD3（muromonab-CD3）、アレムツズマブ（alemtuzumab）又は抗−胸腺細胞グロブリンが前記ステントの表面に固定される、請求項１に記載の使用。
【請求項５】
再狭窄を治療するための医薬の製造のための、G-CSF又はGM-CSFを使用することを更に含む、請求項１〜４のいずれか１項に記載の使用。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
第１表面と、第１表面から空間的に離れた第２表面とを有する合成非金属材料の層；
前記層の第１表面及び第２表面の少なくとも１つと結合したビーディング；及び
前記ビーディングに結合させて放射線不透過性ビーディングを形成する放射線不透過性物質
を含む移植医療用具。
【請求項２】
合成非金属材料の層が細長い実質的に管状の部材を形成し、第２表面が前記管状部材の外面を形成し、さらに放射線不透過性ビーディングが外面の周りにらせん状に巻き付いている、請求項１記載の移植医療用具。
【請求項３】
放射線不透過性ビーディングが実質的に矩形の断面積を画定する、請求項１又は２記載の移植医療用具。
【請求項４】
放射線不透過性ビーディングに張力をかけ、放射線不透過性ビーディングが前記層と化学的に結合している、請求項１〜３のいずれか１項記載の移植医療用具。
【請求項５】
放射線不透過性ビーディングが前記層に焼結されている、請求項１〜４のいずれか１項記載の移植医療用具。
【請求項６】
放射線不透過性ビーディングがポリウレタン材料に埋め込まれた放射線不透過性材料を含む、請求項１〜５のいずれか１項記載の移植医療用具。
【請求項７】
放射線不透過性ビーディングがポリテトラフルオロエチレンシェル内に配置された放射線不透過性コアを含む、請求項１〜６のいずれか１項記載の移植医療用具。
【請求項８】
放射線不透過性材料が20重量％の硫酸バリウムを含む、請求項１〜７のいずれか１項記載の移植医療用具。
【請求項９】
合成非金属材料がダクロン、ポリエステル、PTFE、ePTFE、ポリウレタン、ポリウレタン-尿素、シロキサン及びこれらの組み合わせから本質的になる群より選ばれる材料を含む、請求項１〜８のいずれか１項記載の移植医療用具。
【請求項１０】
放射線不透過性ビーディングが約20％のタンタル粉末を有するペーストから形成される、請求項１〜９のいずれか１項記載の移植医療用具。
【請求項１１】
放射線不透過性ビーディングが約20％〜約40％の硫酸バリウムを有するペーストから形成される、請求項１〜１０のいずれか１項記載の移植医療用具。
【請求項１２】
放射線不透過性ビーディングが約40％のタンタル粉末及び約60％のPTFEで構成されるテープである、請求項１〜１１のいずれか１項記載の移植医療用具。
【請求項１３】
前記ビーディングが前記医療用具の周りにらせん状に配置された連続ストリップを含む、請求項１〜１２のいずれか１項記載の移植医療用具。
【請求項１４】
以下を含む移植可能なプロテーゼの医療用具：
中心軸を定義する第１内層及び第２外層を有するステントのフレーム；及び
前記フレームの前記層の少なくとも１つと結合した請求項１〜１３のいずれか１項記載の移植医療用具。
【請求項１５】
放射線不透過性ビーディングが中心軸の周りに一般に円周方向に配置されている、請求項１４記載の移植可能なプロテーゼ。
【請求項１６】
放射線不透過性ビーディングが剥ぎ取られるように配置される、請求項１４又は１５記載の移植可能なプロテーゼ。
【請求項１７】
放射線不透過性ビーディングが前記移植医療用具の第１層と第２表面の間に配置される、請求項１４〜１６のいずれか１項記載の移植可能なプロテーゼ。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
それぞれがそれぞれの直径を有する、細長い部材用の２つの通路と、前記細長い部材用の通路の間のアンカー通路とを有するコネクタボディを備える装置であって、
前記ボディは、最上部分と最下部分とを有し、前記アンカー通路は前記部分を通って延びており、前記最上部分は前記アンカー通路と連通する間隙を有し、
前記最上部分は曲げ可能であり、それによって前記最上部分の少なくとも一部を前記最下部分の方に曲げると、前記細長い部材用の通路の内の少なくとも１つの直径が減少する、装置。
【請求項２】
前記最上部分を曲げることによって、前記細長い部材用の通路の双方の直径が減少する、請求項１に記載の装置。
【請求項３】
前記細長い部材用の通路の１つに少なくとも部分的に挿入される、少なくとも１つのスプリットリング部材をさらに備え、前記スプリットリング部材は、細長い部材を収容するように寸法決めされた該スプリットリングを貫通する穴を有し、かつ前記スプリットリング部材は、前記細長い部材のまわりに圧縮可能である、請求項１に記載の装置。
【請求項４】
前記ボディに連結された少なくとも１つのスプリットリング部材をさらに備え、前記細長い部材用の通路の少なくも１つが、前記スプリットリング部材の１つを貫通する穴である、請求項１に記載の装置。
【請求項５】
前記アンカー通路を通って延びるアンカーをさらに備える、請求項１に記載の装置。
【請求項６】
前記アンカーがシャフトを含み、
前記装置は、ネジ山付き上方部分、スロットを設けた下方部分、および縦方向孔を有するコレットをさらに含み、
前記シャフトが、少なくとも途中まで、前記孔を通って延びている、請求項５に記載の装置。
【請求項７】
前記アンカーおよび前記ボディと連結可能なナットをさらに備え、前記アンカー上の前記ナットを締めると、前記ナットが前記ボディの前記最上部分に押し付けられ、それによって前記最上部分が前記ボディの前記最下部分の方に曲がる、請求項５に記載の装置。
【請求項８】
前記細長い部材用の通路の１つは、実質的にＵ字形であって、少なくとも部分的に内部にネジ山が付けられており、
前記装置は、前記Ｕ字形通路にねじ込まれるように構成されたセットスクリューをさらに備える、請求項１に記載の装置。
【請求項９】
骨と直面させるための最下部分と、
少なくともその一部が前記最下部分の方向に曲げ可能である、２つに分岐した最上部分と、
前記最下部分と前記最上部分との間の少なくとも１つの第１の通路と
を有する、整形外科用インプラントを備える装置であって、前記最上部分が前記最下部分の方向に曲げられたときに、前記通路の大きさが減少する、装置。
【請求項１０】
前記インプラントが第２の通路を含み、
前記第２の通路は、前記最上部分と最下部分との間に実質的に包囲された１つであって、前記最上部分を介して開放されている、請求項９に記載の装置。
【請求項１１】
少なくとも部分的に前記第１の通路の内部にある第１の細長い部材と、
少なくとも部分的に前記第２の通路の内部にある第２の細長い部材と
をさらに備える、請求項１０に記載の装置。
【請求項１２】
前記第１の細長い部材と前記インプラントの間のスプリットリング部材をさらに備え、前記第１の通路の大きさが減少すると、前記スプリットリング部材が、前記第１の細長い部材のまわりで圧縮される、請求項１１に記載の装置。
【請求項１３】
前記インプラントに連結された骨アンカーをさらに備え、前記アンカーを前記インプラントにロックすると、前記最上部分が前記最下部分の方に曲がる、請求項１２に記載の装置。
【請求項１４】
前記骨アンカーが、シャフトと、該シャフトの少なくとも一部分のまわりのコレットとを含み、
前記装置は、前記コレットのまわりの、前記インプラントの前記最下部分に隣接するワッシャ部材をさらに備える、請求項１３に記載の装置。
【請求項１５】
第１および第２の実質的に平行な通路、ならびに前記第１および第２の通路に実質的に垂直な第３の通路を有し、さらに最上面、最下面および２つの側面を有して、前記最上面はそれを貫通するスロットを有し、前記スロットは前記第１および第２の通路に実質的に平行である、コネクタボディと、
少なくとも部分的に前記第１の通路にある第１のスプリットリング部材および少なくとも部分的に前記第２の通路内にある第２のスプリットリング部材であって、それぞれが細長い部材の少なくとも一部を収容するための貫通穴と、前記スプリットリング部材を前記ボディに対してピボット回転させることができる曲線状外部表面とを有する、第１のスプリットリング部材および第２のスプリットリング部材と、
一方が、前記第１のスプリットリング部材の前記貫通穴の少なくとも一部を占有し、他方が、前記第２のスプリットリング部材の前記貫通穴の少なくとも一部を占有している、一対の細長い部材と、
上方のネジ山付き部分を有する、前記第３の通路を通って延びる骨アンカーと、
前記骨アンカーの前記ネジ山付き部分の上に、前記コネクタボディの前記最上面に押し当ててねじ込まれるナットであって、前記ナットを前記最上面に押し当てて締めると、前記最上面の少なくとも一部分を曲げて、その結果として、前記第１および第２の通路の大きさが減少するとともに、前記スプリットリング部材が前記細長い部材のまわりに圧縮されて、前記細長い部材を前記コネクタボディに対してロックする、ナットと
を備える、装置。
【請求項１６】
前記第１のスプリットリング部材の前記貫通穴の直径が、前記第２のスプリットリング部材のそれよりも小さい、請求項１５に記載の装置。
【請求項１７】
前記ボディ部材が、前記最下面の曲線状部分を含み、この曲線状部分に前記アンカーの一部分を押し当てることができる、請求項１５に記載の装置。
【請求項１８】
前記通路の少なくとも１つが、円錐状開口部分と、実質的に円筒状の内部部分を有する、請求項１５に記載の装置。
【請求項１９】
前記通路の少なくとも１つが、少なくとも１つの縁端を有する段差付き内部部分を有する、請求項１５に記載の装置。
【請求項２０】
前記最上面が、円錐状くぼみを含み、前記ナットが、前記円錐状くぼみと実質的に噛み合うように構成された円錐状下面を含む、請求項１５に記載の装置。
【手続補正書】
【提出日】平成21年10月15日(2009.10.15)
【手続補正１】
【補正対象書類名】明細書
【補正対象項目名】００２４
【補正方法】変更
【補正の内容】
【００２４】
シャンク１８へのカッティングヘッド１４の取り付けは、ヘッドの小部分４４がシャンクの径路１０６の首部１０８内に突出した状態でシャンク１８の前端部にカッティングヘッド１４を配置することにより行われる。この位置において、そのねじ部３８がブッシング１６のねじ穴９０に接触しねじ係合するまでねじ部３８が頭部径路６４を介しシャンクの径路１０６内に至った状態で、止めねじ１２が挿入される。それから、カッティングヘッド１４の残りの３つの放射状の凹部が空いている一方で（図８参照）、３個の放射状の凹部７４が止めねじ１２の３つのロッキングウイング２６により塞がれるまでカッティングヘッド１４は、手により前方に持ち上げられる。それから、カッティングヘッド１４は、固定用ヘッド２０と一緒に保持され、カッティングヘッド１４がシャンク１８に隣接するまで手により回転方向Ｒとは逆方向に回転される。ロッキングウイング２６は、複数の凹部が塞がれた放射状の凹部７４から取り外しできない。
【手続補正２】
【補正対象書類名】明細書
【補正対象項目名】００２６
【補正方法】変更
【補正の内容】
【００２６】
それから、カッティングヘッド１４のヘッドの小部分４４は、ヘッドの小さい面５２および首の面１１６が当接し、シャンクの環状面１０４およびヘッドの環状面４８が当接するまでシャンクの径路１０６の首部１０８を取り囲むシャンク１８の一部が、弾性的に歪む。この位置において、カッティングヘッド１４は、カッティングヘッド１４のヘッド面４６を超えて前方の突出する止めねじ１２の一部が切削作業を妨げることがないようにヘッドの径路６４内に完全に配置される。いまや組み立てられたリーマー１０において、６つの通路１２６（図９および図１０参照）が、止めねじ１２のプラグ面３０と６つの放射状の凹部７４との間に形成される。各通路１２６は、ヘッドの径路６４の細長部６８に連通し、対応付けられる放射状の凹部７４内で終るまで半径方向外方に延在する。３つの放射状の凹部７４に対応付けられた３つの通路１２６（例えば、図１０における左側通路１２６）は、ロッキングウイング２６により塞がれ、プラグ面３０およびウイングサーフェス３２の傍らに、半径方向外方に延在する。残りの３つの通路１２６（例えば、図１０における右側通路１２６）は、プラグ面３０の傍らにより短い距離だけ半径方向外方に延在する。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
次式の化合物：
【化１】
2009514823.tif 000001
［式中、
Ｒ１は、水素；非置換もしくはハロゲン、シアノ、ヒドロキシル、Ｃ１−Ｃ２−アルコキシ、Ｃ１−Ｃ２−アルキルチオ、Ｎ−モノ−もしくはＮ，Ｎ−ジ−Ｃ１−Ｃ２−アルキルアミノ又はＮ−ピリジルメチルアミノで置換されたＣ１−Ｃ４−アルキル；非置換もしくはそれぞれハロゲン、ニトロ、シアノ、Ｃ１−Ｃ４−アルキル、ハロ−Ｃ１−Ｃ４−アルキル、Ｃ１−Ｃ４−アルコキシ又はハロ−Ｃ１−Ｃ４−アルコキシで置換されたＣ２−Ｃ４−アルケニル、Ｃ２−Ｃ４−アルキニル、Ｃ１−Ｃ４−アルキルカルボニル、Ｃ１−Ｃ４−アルコキシカルボニル、フェニル又はフェニルチオ；或いはナフチルであり；
ｍは、０又は１であり；Ｒ２は、ハロゲン、シアノ、ニトロ、Ｃ１−Ｃ２−アルキル、ハロ−Ｃ１−Ｃ２−アルキル、ヒドロキシ−Ｃ１−Ｃ４−アルキル、ヒドロキシ、Ｃ１−Ｃ２−アルコキシ、ベンジルオキシ、アミノ、Ｎ−モノ−もしくはＮ，Ｎ−ジ−Ｃ１−Ｃ２−アルキルアミノ、又はＣ１−Ｃ２−アルコキシカルボニルであるか、或いは、２つの基Ｒ２は、それらが結合している炭素原子と一緒になってジオキソラン環を形成する；
Ｒ３は、水素；Ｃ１−Ｃ４−アルキル；Ｃ３−Ｃ４−シクロアルキルメチル；Ｃ１−Ｃ２−アルコキシメチル；Ｃ１−Ｃ２−アルコキシ−Ｃ１−Ｃ２−アルコキシメチル；非置換もしくはハロゲン、ハロ−Ｃ１−Ｃ２−アルキル又はシアノで置換されたベンジル；非置換もしくはそれぞれフェニル部分をハロゲンで置換されたフェノキシメチル又はベンジルオキシメチル；カルボキシメトキシメチルカルボニル；基ＣＯＲ７（ここで、Ｒ７は、Ｃ１−Ｃ６−アルキル、アセトキシ−Ｃ１−Ｃ４−アルキル、Ｃ５−Ｃ６−シクロアルキル、非置換もしくはハロゲン、ハロ−Ｃ１−Ｃ２−アルキル又はシアノで置換されたフェニル、フェニルエチル、チエニル又はピペロニルである）；基ＣＯＮＨＲ７（ここで、Ｒ７は、Ｃ１−Ｃ６−アルキル、非置換もしくはハロゲン、ハロ−Ｃ１−Ｃ２−アルキル、Ｃ１−Ｃ２−アルコキシ、ハロ−Ｃ１−Ｃ２−アルコキシ、アミノ又はＮ−モノ−もしくはＮ，Ｎ−ジ−Ｃ１−Ｃ２−アルキルアミノで置換されたフェニルである）；基Ｃ（Ｏ）ＯＲ７（ここで、Ｒ７は、Ｃ１−Ｃ６−アルキル、ベンジル、非置換もしくはハロゲンで置換されたＣ２−Ｃ４−アルケニルであるか、或いはＣ２−Ｃ４−アルキニルである）；或いは基Ｃ（Ｓ）ＮＨＲ７（ここで、Ｒ７は、Ｃ１−Ｃ６−アルキル、或いは非置換もしくはハロゲン、ハロ−Ｃ１−Ｃ２−アルキル又はＣ１−Ｃ２−アルキルで置換されたフェニルである）であり；
Ｒ５は、Ｃ１−Ｃ２−アルキル、ハロ−Ｃ１−Ｃ２−アルキル、エテニル、エチニル、フェニル又はベンジルであり；及び
Ｒ６’及びＲ６”は各々独立に、フッ素、トリフルオロメチル、塩素又はシアノである］。
【請求項２】
Ｒ１は、水素、或いは非置換又はヒドロキシルもしくはＣ１−Ｃ２−アルコキシで置換されたＣ１−Ｃ２−アルキルであり；
Ｒ２はハロゲンであり、ｍは０又は１であり；
Ｒ３は水素、Ｃ１−Ｃ２−アルコキシメチル又はＣ１−Ｃ２−アルコキシ−Ｃ１−Ｃ２−アルコキシメチルであり；
Ｒ５はメチル、エテニル又はエチニルであり；及び
Ｒ６’及びＲ６”は各々独立にフッ素、塩素又はシアノである、請求項１に記載の式（Ｉａ）の化合物。
【請求項３】
Ｒ３は水素である、請求項１又は２に記載の式（Ｉａ）の化合物。
【請求項４】
Ｒ６’及びＲ６”は各々塩素である、請求項１〜３いずれか１項に記載の式（Ｉａ）の化合物。
【請求項５】
生理的に許容される担体及び／又は分散剤に加えて、請求項１〜４のいずれか一項に記載の少なくとも１種類の式（Ｉａ）の化合物の有効量を活性成分として含む、ヒト以外の温血動物又は植物に付いた寄生生物を防除する組成物。
【請求項６】
温血動物又は植物に付いた寄生生物に対する薬剤組成物の調製における、請求項１〜４のいずれか一項に記載の式（Ｉａ）の化合物の使用。
【請求項７】
それによって請求項１〜４のいずれか一項に記載の少なくとも１種類の式（Ｉａ）の化合物の有効量がその所在位置に対して使用される、植物に付いた寄生生物を防除する方法。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
(A)溶融金属合金において二次相転移を開始する工程；および
(B)少なくとも1つの有機化合物を二次相転移のエネルギーに曝露する工程であって、曝露により少なくとも1つの有機化合物を変換する工程
を含む、少なくとも1つの有機化合物を変換するための方法。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
組成物において：
（ａ）遺伝子発現を阻害または減少させることのできる低分子抑制核酸（ｓｉＲＮＡ）分子であって、
前記ｓｉＲＮＡ分子が、１５から５０のヌクレオチドを有する第１のＲＮＡ鎖（Ａ鎖）と、１から２５のヌクレオチドを有する第２のＲＮＡ鎖（Ｂ１鎖）と、１から２５のヌクレオチドを有する第３のＲＮＡ鎖（Ｂ２鎖）とを含み；
前記Ｂ１鎖及び前記Ｂ２鎖が、前記Ａ鎖の非オーバラップ領域と各々相補的であり；
第１の二重鎖領域（Ａ：Ｂ１）が、前記Ｂ１鎖と前記Ａ鎖とをアニーリングすることによって形成され；
第２の二重鎖領域（Ａ：Ｂ２）が、前記Ｂ２鎖と前記Ａ鎖とをアニーリングすることによって形成される；
低分子抑制核酸（ｓｉＲＮＡ）分子と；
（ｂ）５から４０のアミノ酸を含むペプチドと；
を具えることを特徴とする組成物。
【請求項２】
前記第１の二重鎖領域がギャップによって前記第２の二重鎖領域から離間しており、前記ギャップが、前記第１および第２の二重鎖領域間に位置する、前記Ａ鎖における少なくとも１の不対ヌクレオチドに起因することを特徴とする請求項１に記載の組成物。
【請求項３】
前記第１の二重鎖領域がニックによって前記第２の二重鎖領域から離間していることを特徴とする請求項１に記載の組成物。
【請求項４】
前記ｓｉＲＮＡ分子は、前記ペプチドと結合されるか、複合体化されるか、または、抱合されることを特徴とする請求項１に記載の組成物。
【請求項５】
前記ペプチドは、当該ペプチドのない前記ｓｉＲＮＡ分子の細胞間送達と比べて、前記ｓｉＲＮＡ分子の細胞間送達を促進することを特徴とする請求項１に記載の組成物。
【請求項６】
前記ペプチドは両親媒性アミノ酸配列を具えることを特徴とする請求項１に記載の組成物。
【請求項７】
前記ペプチドの前記アミノ酸配列は、配列番号：１−３１、３３、３５−３７、４１−５２またはこれらの組み合わせを具えることを特徴とする請求項１に記載の組成物。
【請求項８】
前記Ａ鎖、前記Ｂ１鎖および／または前記Ｂ２鎖のどちらか又はその両方の３’末端において、１から５の不対ヌクレオチドを更に具えることを特徴とする請求項１に記載の組成物。
【請求項９】
前記Ｂ２鎖が、５’ヒドロキシル基で末端をなしていることを特徴とする請求項１に記載の組成物。
【請求項１０】
前記Ｂ１鎖が、５’リン酸基で末端をなしていることを特徴とする請求項１に記載の組成物。
【請求項１１】
前記Ａ鎖が、１８ヌクレオチドから４０ヌクレオチドであることを特徴とする請求項１に記載の組成物。
【請求項１２】
前記Ａ鎖が、２１、２２、２３、２４、２５、２６、２７、２８、２９、３０または３１ヌクレオチドであることを特徴とする請求項１に記載の組成物。
【請求項１３】
前記第１の二重鎖領域および前記第２の二重鎖領域が、合計で、１５塩基対から４０塩基対を具えることを特徴とする請求項１に記載の組成物。
【請求項１４】
前記第１の二重鎖領域および前記第２の二重鎖領域が、合計で、１８塩基対から３５塩基対を具えることを特徴とする請求項１に記載の組成物。
【請求項１５】
脂質を更に具えることを特徴とする請求項１に記載の組成物。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
固形腫瘍の治療用医薬の製造のための、ｉ）以下の構造によって表される、治療上有効量のＳＡＨＡ（スベロイルアニリドヒドロキサム酸）
【化１】
2009514874.tif 000001
又はその医薬的に許容される塩若しくは水和物、及びｉｉ）治療上有効量のＮ−［４−［２−（２−アミノ−４，７−ジヒドロ−４−オキソ−１Ｈ−ピロロ［２，３−ｄ］ピリミジン−５−イル）エチル］ベンゾイルＬ−グルタミン酸又はその医薬的に許容される塩若しくは水和物の使用であって、それらの医薬が、任意の順序で順次、任意の順序で交互に、同時に又はそのいずれかの組み合わせで投与される、前記使用。
【請求項２】
ｉ）治療上有効量のＳＡＨＡ（スベロイルアニリドヒドロキサム酸）を含む医薬、及びｉｉ）治療上有効量のペメトレキセド（Ｎ−［４−［２−（２−アミノ−４，７−ジヒドロ−４−オキソ−１Ｈ−ピロロ［２，３−ｄ］ピリミジン−５−イル）エチル］ベンゾイル）二ナトリウム塩七水和物）を含む医薬が、投与される、請求項１に記載の使用。
【請求項３】
治療上有効量のＳＡＨＡを含む医薬が、経口投与される、請求項２に記載の使用。
【請求項４】
治療上有効量のペメトレキセドを含む医薬が、静脈内投与される、請求項２に記載の使用。
【請求項５】
治療上有効量のペメトレキセドを含む医薬が、１０分間注入として投与される、請求項４に記載の使用。
【請求項６】
治療上有効量のペメトレキセドを含む医薬が、約５００ｍｇ／ｍ２という用量で投与される、請求項５に記載の使用。
【請求項７】
治療上有効量のペメトレキセドを含む医薬が、約５００ｍｇ／ｍ２という用量で１日１回、２１日のうち１日という少なくとも一治療期間の間投与される、請求項６に記載の使用。
【請求項８】
まず、治療上有効量のＳＡＨＡを含む医薬を投与し、続いて、治療上有効量のペメトレキセドを含む医薬を投与する、請求項７に記載の使用。
【請求項９】
治療上有効量のペメトレキセドを含む医薬を、治療上有効量のＳＡＨＡを含む医薬の投与の第１日目の２日後に投与する、請求項８に記載の使用。
【請求項１０】
ペメトレキセドの投与前、投与中、投与後に投与される、過敏症反応を低減又は除去する１種以上の補助薬が、さらに組み合わされる、請求項９に記載の使用。
【請求項１１】
ペメトレキセドの投与前、投与中、投与後に投与される、デキサメタゾン、葉酸及びビタミンＢ１２のうち１種以上を含む医薬が、さらに組み合わされる、請求項１０に記載の使用。
【請求項１２】
被験体を、（ｉ）ペメトレキセドの投与の前日、当日、翌日に経口投与される、２〜２５ｍｇのデキサメタゾンを含む医薬；  （ｉｉ）ペメトレキセドの投与の７日前に始まり、少なくとも一治療期間を通じ、そして、ペメトレキセドの最後の投与後の２１日間の期間中、毎日経口投与される、４００〜１０００μｇの葉酸を含む医薬；  及び（ｉｉｉ）治療期間中のＳＡＨＡの最初の投与の１週間前に筋肉内投与される、１０００μｇのビタミンＢ１２を含む医薬が、さらに組み合わされる（ここで全治療期間が、３以上の２１日という治療期間を含み、１０００μｇのビタミンＢ１２を、全治療期間の間６３日毎に投与する）、請求項１１に記載の使用。
【請求項１３】
治療上有効量のＳＡＨＡを含む医薬を、約３００ｍｇという用量で１日１回、２１日のうち７日という少なくとも一治療期間の間投与する、請求項２〜１２のいずれか一項に記載の使用。
【請求項１４】
治療上有効量のＳＡＨＡを含む医薬を、約４００ｍｇという用量で１日１回、２１日のうち７日という少なくとも一治療期間の間投与する、請求項２〜１２のいずれか一項に記載の使用。
【請求項１５】
治療上有効量のＳＡＨＡを含む医薬を、約４００ｍｇという用量で１日１回、２１日のうち１４日という少なくとも一治療期間の間投与する、請求項２〜１２のいずれか一項に記載の使用。
【請求項１６】
治療上有効量のＳＡＨＡを含む医薬を、約４００ｍｇという用量で１日１回、少なくとも一治療期間の間連続投与する、請求項２〜１２のいずれか一項に記載の使用。
【請求項１７】
治療上有効量のＳＡＨＡを含む医薬を、約５００ｍｇという用量で１日１回、２１日のうち７日という少なくとも一治療期間の間投与する、請求項２〜１２のいずれか一項に記載の使用。
【請求項１８】
治療上有効量のＳＡＨＡを含む医薬を、約６００ｍｇという用量で１日１回、２１日のうち７日という少なくとも一治療期間の間投与する、請求項２〜１２のいずれか一項に記載の使用。
【請求項１９】
治療上有効量のＳＡＨＡを含む医薬を、約２００ｍｇという用量で１日２回、７日のうち３日という少なくとも一治療期間の間投与する、請求項２〜１２のいずれか一項に記載の使用。
【請求項２０】
治療上有効量のＳＡＨＡを含む医薬を、７日のうち３日で１週間と、それに続く２週間の休薬期間という少なくとも一治療期間投与する、請求項２１に記載の使用。
【請求項２１】
治療上有効量のＳＡＨＡを含む医薬を、７日のうち３日で２週間と、それに続く１週間の休薬期間という少なくとも一治療期間投与する、請求項２１に記載の使用。
【請求項２２】
治療上有効量のＳＡＨＡを含む医薬を、７日のうち３日という少なくとも一治療期間投与し、投与を毎週反復する、請求項２１に記載の使用。
【請求項２３】
治療上有効量のＳＡＨＡを含む医薬を、用量あたり約３００ｍｇで１日２回、７日のうち３日という少なくとも一治療期間の間投与する、請求項２〜１２のいずれか一項に記載の使用。
【請求項２４】
治療上有効量のＳＡＨＡを含む医薬を、７日のうち３日で１週間と、それに続く２週間の休薬期間という少なくとも一治療期間の間投与する、請求項２３に記載の使用。
【請求項２５】
治療上有効量のＳＡＨＡを含む医薬を、７日のうち３日で２週間と、それに続く１週間の休薬期間という少なくとも一治療期間の間投与する、請求項２３に記載の使用。
【請求項２６】
治療上有効量のＳＡＨＡを含む医薬を、７日のうち３日という少なくとも一治療期間の間投与し、投与を毎週反復する、請求項２３に記載の使用。
【請求項２７】
治療上有効量のＳＡＨＡを含む医薬を最大３００ｍｇという合計一日用量で投与し、治療上有効量のペメトレキセドを含む医薬を最大５００ｍｇ／ｍ２という合計一日用量で投与する、請求項２〜１２のいずれか一項に記載の使用。
【請求項２８】
治療上有効量のＳＡＨＡを含む医薬を最大４００ｍｇという合計一日用量で投与し、治療上有効量のペメトレキセドを含む医薬を最大５００ｍｇ／ｍ２という合計一日用量で投与する、請求項２〜１２のいずれか一項に記載の使用。
【請求項２９】
治療上有効量のＳＡＨＡを含む医薬を最大６００ｍｇという合計一日用量で投与し、治療上有効量のペメトレキセドを含む医薬を最大５００ｍｇ／ｍ２という合計一日用量で投与する、請求項２〜１２のいずれか一項に記載の使用。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
ポリカチオンおよびポリアニオンを含む組成物であって、
ＸとＹとの比率が約１より大きく、
Ｘは、ポリカチオンの質量とポリカチオンの質量あたりの電荷の比率の積であり、
Ｙは、ポリアニオンの質量とポリアニオンの質量あたりの電荷の比率の積であることを特徴とする組成物。
【請求項２】
前記組成物が、実質的に、前記ポリカチオンおよび前記ポリアニオンから成ることを特徴とする請求項１に記載の組成物。
【請求項３】
前記組成物が、前記ポリカチオンおよび前記ポリアニオンから成ることを特徴とする請求項１に記載の組成物。
【請求項４】
前記組成物が、環境温度または生理的温度において固体であることを特徴とする請求項１〜３いずれか１項に記載の組成物。
【請求項５】
フィブリン、フィブリノゲン、ポリビニルアルコール、アルギン酸塩、ジェラン、トロンビン、ボラート、ボロネート、カルシウムイオン、またはマグネシウムイオンをさらに含むことを特徴とする請求項１、２または４に記載の組成物。
【請求項６】
フィブリンとトロンビン、フィブリノゲンとトロンビン、ポリビニルアルコールとボラート、ポリビニルアルコールとボロネート、アルギン酸塩とカルシウム、またはジェランとマグネシウムの組合せから形成されるヒドロゲルを含むことを特徴とする請求項５に記載の組成物。
【請求項７】
前記ポリカチオンが、約１０ｋＤより大きく、約５００ｋＤより小さい分子量、約１０ｋＤより大きく、約２５０ｋＤより小さい分子量、または約１０ｋＤより大きく、約２００ｋＤより小さい分子量を有することを特徴とする請求項１〜６いずれか１項に記載の組成物。
【請求項８】
前記ポリカチオンがポリアミノ酸であることを特徴とする請求項１〜７いずれか１項に記載の組成物。
【請求項９】
前記ポリカチオンが、ポリ（Ｌｙｓ）、ポリ（Ｏｒｎ）、ポリ（Ａｒｇ）またはポリ（Ｈｉｓ）であることを特徴とする請求項８に記載の組成物。
【請求項１０】
前記ポリカチオンがポリ（Ｌ−Ｌｙｓ）であることを特徴とする請求項８に記載の組成物。
【請求項１１】
前記ポリアニオンが多糖類であることを特徴とする請求項１〜１０いずれか１項に記載の組成物。
【請求項１２】
前記多糖類を構成する糖の複数が硫酸化またはカルボキシメチル化されていることを特徴とする請求項１１に記載の組成物。
【請求項１３】
前記ポリアニオンが、ヘパラン硫酸、デルマタン硫酸、コンドロイチン硫酸、ペントサン硫酸、ケラタン硫酸、ムコポリサッカライドポリサルフェート、カラギーナン、アルギン酸ナトリウム、アルギン酸カリウム、ヒアルロン酸、およびカルボキシメチルセルロースから成る群より選択される多糖類であることを特徴とする請求項１１に記載の組成物。
【請求項１４】
前記ポリアニオンがポリアミノ酸であることを特徴とする請求項１〜１０いずれか１項に記載の組成物。
【請求項１５】
前記ポリアミノ酸が、Ａｓｐ、Ｇｌｕ、Ｌｙｓ、Ｏｒｎ、Ａｒｇ、Ｇｌｙ、Ａｌａ、Ｖａｌ、Ｌｅｕ、Ｉｌｅ、Ｍｅｔ、Ｐｒｏ、Ｐｈｅ、Ｔｒｐ、Ａｓｎ、Ｇｌｎ、Ｓｅｒ、Ｔｈｒ、Ｔｙｒ、Ｃｙｓ、およびＨｉｓから成る群よりそれぞれ独立して選択された複数のアミノ酸を含み、
前記アミノ酸の約２５％以上がＡｓｐおよびＧｌｕから成る群より独立して選択され、
前記アミノ酸の５％以下がＬｙｓ、Ｏｒｎ、およびＡｒｇから成る群より独立して選択されることをさらに条件とする、
請求項８または１４に記載の組成物。
【請求項１６】
前記ポリアニオンがポリ（Ｇｌｕ）またはポリ（Ａｓｐ）であることを特徴とする請求項１４に記載の組成物。
【請求項１７】
前記ポリアニオンが、生理学的条件下、約１週間から約１２週間、約１週間から約６週間、約１週間から約４週間、または約２週間から約５週間で分解することを特徴とする請求項１〜１６いずれか１項に記載の組成物。
【請求項１８】
抗感染薬をさらに含むことを特徴とする請求項１〜１７いずれか１項に記載の組成物であって、前記抗感染薬が、アミノグリコシド抗生物質、テトラサイクリン、スルホンアミド、ｐ−アミノ安息香酸、ジアミノピリミジン、キノロン、β−ラクタム、β−ラクタマーゼ阻害剤、クロラフェニコール、マクロライド、ペニシリン、セファロスポリン、リノマイシン、クリンダマイシン、スペクチノマイシン、ポリミキシンＢ、コリスチン、バンコマイシン、バシトラシン、イソニアジド、リファンピン、エタンブトール、エチオナミド、アミノサリチル酸、サイクロセリン、カプレオマイシン、スルホン、クロファジミン、サリドマイド、ポリエン抗真菌剤、フルシトシン、イミダゾール、トリアゾール、グリセオフルビン、テルコナゾール、ブトコナゾールシクロピラックス、シクロピロックスオラミン、ハロプロジン、トルナフテート、ナフチフィン、およびテルビナフィン、またはそれらの組合せから成る群より選択されることを特徴とする組成物。
【請求項１９】
対象の標的領域における瘢痕および線維症の誘発に使用するための請求項１〜１７いずれか１項記載の組成物であって、
前記対象の標的領域に、前記組成物を所定量で投与することを特徴とする、組成物。
【請求項２０】
前記標的領域が、肺組織および卵管から成る群より選択されることを特徴とする請求項１９に記載の組成物。
【請求項２１】
前記対象が、ヒトであることを特徴とする請求項１９に記載の組成物。
【請求項２２】
前記対象が、肺気腫に罹患している、または前記肺に外傷を負っていることを特徴とする請求項１９に記載の組成物。
【請求項２３】
前記組成物が、マルチルーメンカテーテルを経由して投与されることを特徴とする請求項１９に記載の組成物。
【請求項２４】
前記所定量が、約５ｍＬから約３００ｍＬ、約１０ｍＬから約１００ｍＬ、または約１０ｍＬから約５０ｍＬであることを特徴とする請求項１９に記載の組成物。
【請求項２５】
請求項１〜２４いずれか１項記載の組成物を含む容器、および
肺容量減少療法におけるその使用説明書
を備えるキットであって、
ＸとＹとの比率が約１より大きく、
Ｘは、ポリカチオンの質量とポリカチオンの質量あたりの電荷の比率の積であり、
Ｙは、ポリアニオンの質量とポリアニオンの質量あたりの電荷の比率の積であることを特徴とするキット。
【請求項２６】
前記組成物が、さらにフィブリン、フィブリノゲン、ポリビニルアルコール、アルギン酸塩、ジェラン、トロンビン、ボラート、ボロネート、カルシウムイオン、またはマグネシウムイオンを含むことを特徴とする請求項２５に記載のキット。
【手続補正２】
【補正対象書類名】明細書
【補正対象項目名】０１７２
【補正方法】変更
【補正の内容】
【０１７２】
本発明の一態様は、対象の標的領域で瘢痕および線維症を誘発する方法に関するものであって、前記対象の標的領域に組成物を所定量で投与する工程を含み、前記組成物はポリカチオンおよびポリアニオンを含み、ＸとＹとの比率は約１より大きく、Ｘは、ポリカチオンの質量とポリカチオンの質量あたりの電荷の比率の積であり、Ｙは、ポリアニオンの質量とポリアニオンの質量あたりの電荷の比率の積である。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
ハーセプチンを用いるレジメンで投与可能な抗悪性腫瘍医薬の調製におけるラパマイシンの使用、またはラパマイシンを用いるレジメンで投与可能な医薬の調製におけるハーセプチンの使用であって、前記レジメンが場合によりさらにＨＫＩ−２７２を含む、前記使用。
【請求項２】
ＨＫＩ−２７２を用いるレジメンで投与可能な抗悪性腫瘍医薬の調製におけるラパマイシンの使用、またはラパマイシンを用いるレジメンで投与可能な医薬の調製におけるＨＫＩ−２７２の使用であって、前記レジメンが場合によりさらにハーセプチンを含む、前記使用。
【請求項３】
ＨＫＩ−２７２を用いるレジメンで投与可能な抗悪性腫瘍医薬の調製におけるハーセプチンの使用、またはＨＫＩ−２７２を用いるレジメンで投与可能な医薬の調製におけるハーセプチンの使用であって、前記レジメンが場合によりさらにｍＴＯＲインヒビターを含む、前記使用。
【請求項４】
前記医薬が、細気管支肺胞上皮癌および非小細胞肺癌を含む肺癌、乳癌、骨髄腫、前立腺癌、頭頸部癌、または移行上皮癌；子宮頸部の小細胞および大細胞の神経内分泌癌からなる群より選択される、新生物の処置のためのものである、請求項１から３のいずれか一項に記載の使用。
【請求項５】
前記ラパマイシンがラパマイシンである、請求項１から４のいずれか一項に記載の使用。
【請求項６】
前記ラパマイシンが４２−Ｏ−（２−ヒドロキシ）エチルラパマイシンである、請求項１から４のいずれか一項に記載の使用。
【請求項７】
前記医薬が、転移性乳癌の処置のためのものである、請求項１から６のいずれか一項に記載の使用。
【請求項８】
哺乳動物において新生物の処置における同時、別々または連続的な使用のための併用製剤としてテムシロリムスおよびハーセプチンを含有する、生成物。
【請求項９】
哺乳動物において新生物の処置における同時、別々または連続的な使用のための併用製剤としてラパマイシンおよびＨＫＩ−２７２を含有する、生成物。
【請求項１０】
哺乳動物において新生物の処置における同時、別々または連続的な使用のための併用製剤としてハーセプチンおよびＨＫＩ−２７２を含有する、生成物。
【請求項１１】
１個体の哺乳動物の抗悪性腫瘍処置の治療単位（course）を含有する医薬パックであって、前記パックが（ａ）少なくとも１単位のテムシロリムス、および（ｂ）少なくとも１単位のハーセプチンを単位剤形に含有する、前記医薬パック。
【請求項１２】
１個体の哺乳動物の抗悪性腫瘍処置の治療単位を含有する医薬パックであって、前記パックが（ａ）少なくとも１単位のラパマイシン、および（ｂ）少なくとも１単位のＨＫＩ−２７２を単位剤形に含有する、前記医薬パック。
【請求項１３】
１個体の哺乳動物の抗悪性腫瘍処置の治療単位を含有する医薬パックであって、前記パックが（ａ）少なくとも１単位のハーセプチン、および（ｂ）少なくとも１単位のＨＫＩ−２７２を単位剤形に含有する、前記医薬パック。
【請求項１４】
哺乳動物における新生物を処置するのに有用な医薬組成物であって、前記組成物が（ａ）少なくとも１単位のテムシロリムス、および（ｂ）少なくとも１単位のハーセプチンを単位剤形に含み、そして少なくとも１つの薬学的に許容可能なキャリアを含む、前記組成物。
【請求項１５】
哺乳動物における新生物を処置するのに有用な医薬組成物であって、前記組成物が（ａ）少なくとも１単位のラパマイシン、および（ｂ）少なくとも１単位のＨＫＩ−２７２を単位剤形に含み、そして少なくとも１つの薬学的に許容可能なキャリアを含む、前記組成物。
【請求項１６】
哺乳動物における新生物を処置するのに有用な医薬組成物であって、前記組成物が（ａ）少なくとも１単位のハーセプチン、および（ｂ）少なくとも１単位のＨＫＩ−２７２を単位剤形に含み、そして少なくとも１つの薬学的に許容可能なキャリアを含む、前記組成物。
【請求項１７】
ハーセプチンを用いるレジメンで投与可能な抗悪性腫瘍医薬の調製におけるラパマイシンの使用、またはラパマイシンを用いるレジメンで投与可能な医薬の調製におけるハーセプチンの使用であって、前記レジメンが場合によりさらに式Ａ
【化１】
2009514870.tif 000001
を有する化合物であって、
式中、Ｒ1がハロゲンであり；
Ｒ2がピリジニル、チオフェン、ピリミジン、チアゾールまたはフェニルであって、最大３つまでの置換基で場合により置換され；
Ｒ3が−Ｏ−または−Ｓ−であり；
Ｒ4がメチルまたはＣＨ2ＣＨ2ＯＣＨ3であり；
Ｒ5がエチルまたはメチルであり；かつ
ｎが０もしくは１である化合物、またはその薬学的に許容可能な塩を含む、前記使用。
【請求項１８】
式Ａを有する化合物（請求項１に図示されかつ規定される）もしくはその薬学的に許容可能な塩を用いるレジメンで投与可能な抗悪性腫瘍医薬の調製におけるラパマイシンの使用、またはラパマイシンを用いるレジメンで投与可能な医薬の調製における式Ａを有する化合物（請求項１に図示されかつ規定される）もしくはその薬学的に許容可能な塩の使用であって、前記レジメンが場合によりさらにハーセプチンを含む、前記使用。
【請求項１９】
式Ａを有する化合物（請求項１に図示されかつ規定される）もしくはその薬学的に許容可能な塩を用いるレジメンで投与可能な抗悪性腫瘍医薬の調製におけるハーセプチンの使用、または式Ａを有する化合物（請求項１に図示されかつ規定される）もしくはその薬学的に許容可能な塩を用いるレジメンで投与可能な医薬の調製におけるハーセプチンの使用であって、前記レジメンが場合によりさらにｍＴＯＲインヒビターを含む、前記使用。